(57)【特許請求の範囲】
【請求項１】
フィルムの情報記録部にプリント作成時のトリミング範囲情報を記録可能なカメラにおいて、
上記トリミング範囲情報を設定するための情報設定手段と、
光学ファインダ内に設けられた液晶表示板と、
上記フィルムへの露光動作に同期して、上記フィルム上に露光される被写体像とほぼ等価な電子画像をメモリ素子に記憶する記憶手段と、
上記フィルムへの露光動作を実行するための撮影モードと、上記記憶手段に記憶されている電子画像を表示するための表示モードとを選択可能なモード設定部材と、
上記表示モードにおいて、上記記憶手段に記憶されている上記電子画像を読み出し、画像モニタに表示する電子的画像表示手段と、
を具備し、
上記撮影モードにおいて上記情報設定手段によって次の撮影駒に対するトリミング範囲を設定する場合には、該トリミング設定によって割愛される部分の被写体も確認できる形の画面枠を上記液晶表示板を用いて上記ファインダ内にスーパーインポーズ表示し、上記表示モードにおいて撮影済みの駒に対するトリミング範囲を再設定する場合には、上記電子的画像表示手段で表示された電子画像を上記情報設定手段で設定されたトリミング範囲情報に基づいてマスキング処理してから表示するようにしたことを特徴とするカメラ。
【発明の詳細な説明】
【０００１】
【発明の属する技術分野】
本発明は、トリミングカメラ、詳しくはプリント装置にて画面内のトリミング指定された特定の範囲のみをプリントするために、トリミング範囲に関する情報をフィルム上の情報記録部に記録可能なカメラに関する。
【０００２】
【従来の技術】
近年、従来からの１３５ロ−ルフィルム（３５ｍｍフィルム）に代わって、ＩＸ２４０カ−トリッジフィルムというフィルムが実用化された。このフィルムの特徴は、情報記録部としての磁気記録部が設けられていることにある。この磁気記録部を利用することによって、撮影時に撮影画面内のプリントしたい範囲（これをトリミング範囲という）を設定して上述の磁気記録部に記録し、プリント時はその記録された情報に基づいてトリミングプリントすることが可能となる。このため、撮影時にフィルムへの露光開口部をトリミング用マスク部材で遮光するといった機構が不要となり、カメラの構成が簡単になる。この様なトリミングプリント指定が可能なカメラとして、トリミングプリントする範囲を３つの画面サイズで表し、その画面サイズのうちの１つを選択する構成としたカメラが現在実用化されている。すなわちトリミングプリント範囲をあらかじめ設定された３種類の内から選択する構成であり、画面サイズが選択可能なカメラと言い換えることもできる。ここで上記実用化されているトリミングカメラについて見ると、上記３つの画面サイズは図２に示されるような寸法となっている。すなわちこのフィルムの一駒分の画面は、縦１６．７ｍｍ、横３０．２ｍｍとされ、これは通常Ｈタイプ（ハイビジョンサイズタイプ）といわれる。一方、縦寸法をそのままにして横寸法を２３ｍｍにしたサイズは通常Ｃタイプ（コンベンショナルサイズタイプ）といわれる。また横寸法をそのままに縦寸法を１０ｍｍにしたサイズは通常Ｐタイプ（パノラマサイズタイプ）といわれる。これらのサイズの縦横比は、Ｃタイプが１：１．５、Ｈタイプが１：１．８、Ｐタイプが１：２．８である。ところで、プリント時の画面サイズをカメラ側で設定できるようにすると、当然のことながら、現在どの画面サイズが選択されているのかを容易に確認できるような機構が要求される。このための手段として、特開平６−２５０２８３号公報に開示されるようにファインダ内の観察画像に液晶表示にて画面枠をス−パ−インポ−ズしたり、特開平７−１５９８６４号公報に開示されるようにファインダ視野を機械的にマスクするものが知られている。
【０００３】
【発明が解決しようとする課題】
しかしながら、上記特開平６−２５０２８３号公報に開示される如き、ファインダ内に画面枠を表示する機構を有する種のカメラは、撮影画面全体に対するトリミング範囲を認識し易いという利点を備えるものの、プリント作成時に割愛される範囲もトリミング範囲と共に使用者には見ることが可能となるため、誤認する虞があった。
【０００４】
一方、特開平７−１５９８６４号公報に開示される如き、ファインダ視野を機械的にマスクする機構を有する種のカメラは、プリント範囲だけが見えるのでできあがったプリントをイメージし易い反面、周囲に重要な被写体が存在した場合にこの被写体に気がつかずに撮影してしまう虞があった。
【０００５】
本発明はかかる問題点に鑑みてなされたものであり、カメラ使用者にとって使いやすいカメラを提供することを目的とする。
【０００６】
【課題を解決するための手段】
上記の目的を達成するために本発明によるカメラは、フィルムの情報記録部にプリント作成時のトリミング範囲情報を記録可能なカメラにおいて、上記トリミング範囲情報を設定するための情報設定手段と、光学ファインダ内に設けられた液晶表示板と、上記フィルムへの露光動作に同期して、上記フィルム上に露光される被写体像とほぼ等価な電子画像をメモリ素子に記憶する記憶手段と、上記フィルムへの露光動作を実行するための撮影モードと、上記記憶手段に記憶されている電子画像を表示するための表示モードとを選択可能なモード設定部材と、上記表示モードにおいて、上記記憶手段に記憶されている上記電子画像を読み出し、画像モニタに表示する電子的画像表示手段とを具備し、上記撮影モードにおいて上記情報設定手段によって次の撮影駒に対するトリミング範囲を設定する場合には、該トリミング設定によって割愛される部分の被写体も確認できる形の画面枠を上記液晶表示板を用いて上記ファインダ内にスーパーインポーズ表示し、上記表示モードにおいて撮影済みの駒に対するトリミング範囲を再設定する場合には、上記電子的画像表示手段で表示された電子画像を上記情報設定手段で設定されたトリミング範囲情報に基づいてマスキング処理してから表示するようにしたことを特徴とする。
【０００９】
【発明の実施の形態】
以下、図面を参照して本発明の実施の形態を説明する。
【００１０】
まず本発明における実施の形態での主要な部分を概略的に説明する。
第１に、このカメラは銀塩フィルムへの露光動作に同期して上記フィルム上に露光された被写体像とほぼ等価な電子画像を作成可能に構成されている。第２に、その電子画像を表示する電子ビュ−ファインダ、モニタ装置等の電子的画像表示手段を有している。第３に、各撮影駒毎にプリント作成時に参考となる情報を設定可能とされている。第４に、上記電子画像を上記電子的画像表示手段の画面に表示する際には上記プリント参考情報を考慮した処理が施される。また、上記のプリント参考情報とは、前述した如く、例えばトリミングプリントの範囲、プリント濃度、色補正等、銀塩フィルムに記録された像をプリントするにあたって像の補正のために参考となる種々の情報である。
【００１１】
次に本発明の第１の実施の形態として、トリミングプリントの範囲を参考情報とした場合につき説明する。なお以下の説明においては上記実用化されている３種類のトリミングプリント範囲の設定が可能なカメラを基にしているが、これはトリミングプリント範囲を全く任意に設定できる様にしたカメラであっても本発明が適用できることは勿論である。
【００１２】
図１に示すように本実施の形態のカメラは、カメラシーケンスを制御する制御回路９と、その制御回路９からの制御信号に従って動作する種々の機構とから構成されている。また、このカメラに装着された撮影レンズには、撮影光学系１と絞り部材１３が設けられている。この絞り部材１３は、撮影時には設定された絞り開口値まで絞り込まれるように絞り駆動機構２０によって駆動される。撮影光学系１の後方のカメラ本体のミラーボックス（図示省略）内には、被写体光を上方に反射するための可動ミラー２が配置されている。この可動ミラー２の上方には、被写体像を結像するためのフォーカシングスクリーン３が配置され更にその上方には、画面枠をファインダ内にスーパーインポーズするための液晶表示板３９が配置されている。この液晶表示板３９には、図３に示すように、１６個の表示エレメント１００〜１１５が配置されており、これらの点灯／消灯を組み合わせることで上記３つの画面枠を表示するようになっている。今、Ｈタイププリントが選択されていれば、表示エレメント１００，１０８，１０９，１１０，１０１，１１１，１１２，１１３が点灯する。また、Ｃタイププリントが選択されていれば、表示エレメント１００，１０３，１０６，１０４，１０１，１０５，１０７，１０２が点灯する。また、Ｐタイププリントが選択されていれば、表示エレメント１１４，１０９，１１５，１１２が点灯する。この表示エレメントのどれを点灯させるかは、制御回路９からの指示に基づいて液晶駆動回路４０が決定する。この液晶表示板３９のさらに上方には、被写体像の左右を反転させるためのペンタプリズム４が固設され、このペンタプリズム４の被写体光の出射側にファインダ接眼部５が設けてある。
【００１３】
また、上記可動ミラー２はハーフミラー構造になっており、その後方にはサブミラー６が配置されていて、被写体観察時には、被写体光の一部がこのサブミラー６で図面上の左斜め下方に導かれる。上記可動ミラー２はミラーボックスの上方に可動軸２ａを有し、サブミラー６はミラーボックスの底部側に可動軸６ａを有し、各々撮影時にはミラー駆動機構２１によって撮影光路外に退避するように駆動される。また上記ミラーボックスの底部には被写体像をアナログイメージデータに変換するための撮像素子８が設けられており、上記サブミラー６で反射された被写体光を受けるようになっている。この撮像素子８は画像処理回路１０に接続されており、この画像処理回路１０は、制御回路９からの制御信号によって制御され、撮像素子８からのアナログイメージデータをデジタルイメージデータに変換すると共に、撮像素子８の制御を行う。また、上記画像処理回路１０は画像メモリ１２と双方向で接続されており、制御回路９からの制御信号に応じてデジタルイメージデータを画像メモリ１２に記憶させたり、画像メモリ１２に記憶された画像データを読み出してモニタ１１の表示画面５３に表示させたりする。さらに、この画像処理回路１０は、画像データをモニタ１１に表示させる際に制御回路９からの画面サイズ情報に基づいて表示画像のマスキングも行う。尚、これに関しては、後に具体例を示して説明する。また、カメラ本体内に装填された銀塩フィルム１５は、フィルム給送機構２３によって駆動され、その給送量は給送量検知機構２４によって検知される。
【００１４】
また、銀塩フィルム１５の裏面（ベース面）には、磁気記録部が設けられており（不図示）、磁気ヘッド２５にて磁気情報を記録可能となっている。上記磁気記録部への記録データは制御回路９で生成され、磁気記録回路２６がその磁気記録データを受けて磁気ヘッド２５を駆動する。銀塩フィルム１５の前面にはシャッタ１４が配置されており、撮影時にはシャッタ駆動機構２２によって開閉制御される。また、制御回路９には、カメラの裏蓋の開閉状態を検知するための裏蓋スイッチ３１，撮影モードと表示モードのいずれか一方を設定するためのモードスイッチ３２，レリーズスイッチ３３，モニタ１１に表示される画像を選択するための表示アップスイッチ３４および表示ダウンスイッチ３５，Ｈタイププリントを指示するためのＨスイッチ３６，Ｃタイププリントを指示するためのＣスイッチ３７，Ｐタイププリントを指示するためのＰスイッチ３８，巻戻動作の実行を指示する巻戻スイッチ４１が接続されている。これらＨスイッチ３６、Ｃスイッチ３７、Ｐスイッチ３８はプリント参考情報としてのトリミングプリント範囲を設定する情報設定手段の少なくとも一部を構成している。また表示アップスイッチ３４、表示ダウンスイッチ３５は表示画像選択手段の少なくとも一部を構成している。
【００１５】
図４は、本発明を適用した一眼レフカメラの外観図である。カメラ本体４２の背面の上部には前記ファインダ接眼部５の接眼レンズ５７が、グリップ部にはレリーズ釦４０が、背面の中央部には上記モニタ１１における画像表示用のモニタ画面５３がそれぞれ設けられている。このモニタ１１のモニタ画面５３は電子的画像表示手段を構成している。このモニタ画面５３の外側には、撮影モードと表示モードのいずれかを選択的に設定するために手動操作されるスライド式のモ−ド設定部材４４が設けられており、ＥＸＰマ−クとＤＩＳＰマ−クとの間でスライドすることにより、前述のモードスイッチ３２を作動させる。また、上記背面のモニタ画面４３を挟んでモード設定部材４４と反対側には、既に記憶されている画像を選択して表示するためのアップ釦４５とダウン釦４６の２つのプッシュ式の釦が配置されている。このアップ釦４５は前記表示アップスイッチ３４を作動させ、ダウン釦４６は前記表示ダウンスイッチ３５を作動させる。また、ダウン釦４６の下方には、前述のＨスイッチ３６を作動させるＨタイプ選択釦４７と、上述のＣスイッチ３７を作動させるＣタイプ選択釦４８と、上述のＰスイッチ３８を作動させるＰタイプ選択釦４９とが配置されている。これらＨタイプ選択釦４７、Ｃタイプ選択釦４８、Ｐタイプ選択釦４９はプリント参考情報としてのトリミングプリント範囲を設定する情報設定手段の少なくとも一部を構成している。またアップ釦４５、ダウン釦４６は表示画面選択手段の少なくとも一部を構成している。
【００１６】
そして、被写体４１にカメラ本体４２を向けると、その被写体４１の像は光学ファインダの接眼部５を介して観察できる。ここで、上記モード設定部材４４の「ＥＸＰ」側への設定が制御回路９へ入力されると露光動作が可能となる。この状態でレリーズ釦４０を操作すると、被写体４１が銀塩フィルム１５に露光される。また、この露光動作に同期して、銀塩フィルム１５に露光された被写体像とほぼ等価な電子画像が画像メモリ１２に記憶される。一方、上記モード設定部材４４を「ＤＩＳＰ」側に設定すると、制御回路９は画像メモリ１２に記憶された画像の再生を行わせるようになっている。また、モード設定部材４４を「ＤＩＳＰ」側に設定したままアップ釦４５またはダウン釦４６を操作すると、現在表示されている画像以外の画像（ダウン釦４６が操作されれば１つ前の画像、アップ釦４５が操作されれば次の画像）が表示される。このとき、撮影時にＰタイプもしくはＣタイプが選択されていれば、それに応じて図５にＰＭ，ＣＭとして示すように画面の一部がマスキングされて表示される。この状態で、前記Ｈタイプ選択釦４７，Ｃタイプ選択釦４８，Ｐタイプ選択釦４９のいずれかを再度操作して異なる画面サイズを選択すると、新たな画面サイズに従ってマスキング範囲が変更される。
【００１７】
すなわち、本実施形態のカメラを使用するにおいて、使用者は、ファインダ（ファインダ接眼部５、接眼レンズ５７等）により撮影画面全体を視認することができるとともに、モニタ画面５７（モニタ１１）にプリント範囲が表示されることよりトリミングによって割愛される部分に重要な被写体が存在するか否かを上記ファインダ（ファインダ接眼部５、接眼レンズ５７）により確認することができる。また、プリント写真をイメージすることも容易である。さらに、ファインダ内には画面枠を示す線が、上記液晶表示板３９により、上述した利点を損なわない程度にスーパーインポーズされるので、より使いやすいものとなる。
【００１８】
次に、上述の如く構成されているカメラの動作を、図６以降の動作フローチャートで説明する。図６は、メインシーケンスを示すフローチャートである。尚、このフローチャートにおいては、簡単化のためにフィルムカートリッジの装填以降についてのみ説明している。まず、Ｓ１にて裏蓋スイッチ３１のオンオフをチェックすることにより、裏蓋の開閉状態を検出する。フィルムカートリッジが装填されてカメラの裏蓋が閉状態になったと判断したら、Ｓ２の＜空送＞サブルーチンを実行してフィルム１５を第１駒まで送る。続いて、Ｓ３にてフィルム感度や撮影枚数等のフィルム情報をフィルムカートリッジに設けられた情報記録部位から読み込む。そして、Ｓ４にて、すべての比率レジスタに０を入れて初期化する。この比率レジスタは、各駒毎の画面サイズを記憶しておくためのレジスタで、各撮影駒のそれぞれに対応して用意されており、上述のＨタイプ選択釦４７を操作すると「０」，Ｃタイプ選択釦４８を操作すると「１」，Ｐタイプ選択釦４９を操作すると「２」がセットされる。したがって、Ｓ４においてすべての撮影駒数分の比率レジスタすべてに「０」を入れることによって、初期状態ではＨタイププリントが選択されたことになる。次に、Ｓ５にて駒数カウンタに「１」を入れて初期化する。次に、Ｓ６にて駒数カウンタの内容から１を引いた値をアドレスレジスタに設定する。このアドレスレジスタは、撮影駒番号と対応付けて画像メモリ１２に記憶される被写体画像のアドレスを設定するためのレジスタである。
【００１９】
続いて、Ｓ７にてモード設定部材４４に連動するモードスイッチ３２をチェックする。ここで、モード設定部材４４が撮影モード（ＥＸＰマ−ク側）に設定されていない場合には、Ｓ８の＜表示＞サブルーチンを実行することで表示モードに移行する。この表示モードに関しては、後述する。一方、撮影モードが設定されている場合には、Ｓ９にてレリーズ釦４０に連動するレリーズスイッチ３３をチェックする。モード設定部材４４が撮影モードに設定され、レリーズ釦４０が操作されていなければ、Ｓ１０にて＜Ｆ内表示＞のサブルーチンを実行しながらＳ７→Ｓ９→Ｓ１０を繰り返す。
【００２０】
ここで、＜Ｆ内表示＞のサブルーチンについて、図７を用いて説明する。このサブルーチンは、選択されている画面サイズに対応する画面枠をファインダ内にスーパーインポーズするサブルーチンである。このサブルーチンにおいては、Ｓ１００にてＰタイププリントを指示するためのＰスイッチ３８がＯＮしているか否かを判断し、ＯＮしていればＳ１０１にて現在の撮影駒に対応する比率レジスタに「２」を入れて、Ｓ１０６に進む。ＯＮしていなければ、Ｓ１０２にてＣタイププリントを指示するためのＣスイッチ３７がＯＮしているか否かを判断し、ＯＮしていればＳ１０３にて現在の撮影駒に対応する比率レジスタに「１」を入れて、Ｓ１０６に進む。ＯＮしていなければ、Ｓ１０４にてＨタイププリントを指示するためのＨスイッチ３６がＯＮしているか否かを判断し、ＯＮしていればＳ１０５にて現在の撮影駒に対応する比率レジスタに「０」を入れて、Ｓ１０６に進む。Ｈスイッチ３６もＯＮしていない場合には、比率レジスタの内容を変更せずにＳ１０６に進む。Ｓ１０６では、比率レジスタの内容を前述の液晶駆動回路４０に転送する。それを受けた液晶駆動回路４０は、上述のように表示エレメント１００〜１１５を選択的に点灯させて、画面枠をファインダ内にスーパーインポーズする。
【００２１】
図６のＳ９に戻って、レリーズ釦４０が操作され、レリーズスイッチ３３がオンとなると、Ｓ５０の＜露光＞サブルーチンでもって露光動作が行われる。この露光動作は上記可動ミラー２を上昇させ、サブミラー６を下降させると共に、絞り部材１３による絞り込み動作を行い、その後シャッタ１４を開放し、銀塩フィルム上に被写体像を露光する動作を行うが、詳細は公知の技術であるので省略する。露光動作が終了すると、Ｓ１１にて画像処理回路１０に画像取り込み指示信号を送る。この信号を受けた画像処理回路１０は、撮像素子８に制御信号を送り撮像素子８は結像面上の被写体像をアナログ画像データに変換して画像処理回路１０に転送し、画像処理回路１０はデジタル画像データに変換して取込む。次にＳ１２にて現在のアドレスレジスタの内容を画像処理回路１０に転送してから、Ｓ１３にて画像記憶指示信号を送る。画像処理回路１０は、アドレスデータに対応する画像メモリ１２のメモリ領域を設定し、画像記憶指示信号に従って画像データを画像メモリ１２の指定領域に記憶させる。したがって、画像メモリ１２に記憶される画像データは、撮影駒数に関連付けて記憶されることになる。以上のように、銀塩フィルム１５への露光動作に同期してデジタル画像データの記憶動作が行われるので、銀塩フィルム１５に光学記録された画像と画像メモリ１２に記憶された画像はほぼ等価になる。
【００２２】
次に、Ｓ１４にて画像処理回路１０に対して、画像表示指示信号を転送し、続いてＳ１５にて直前に撮影された駒に対応する比率レジスタの内容を転送する。これを受けた画像処理回路１０は、取り込んだ画像データをモニタ１１に表示させるとともに、比率レジスタの内容に応じて図５に示す如く表示画面上にマスキング処理を施す。この処理は、被写体画像に単色（例えば白色）のマスク（画面枠部分）を重ねて表示する処理であり、これによって現像所で作成されるプリントの事前確認が可能になる。次に、Ｓ１６にて現在の駒が最終駒か否かを判断する。その方法は、上述のフィルムカートリッジに設けられた情報記録部位から読み込んだ撮影枚数情報と現在の駒数カウンタの内容とを比較して、両者が一致していたら最終駒まで露光済みであると判断するものである。ここで、最終駒でないと判断した場合には、Ｓ１７に進んで＜一駒巻上＞サブルーチンを実行する。
【００２３】
ここで、＜一駒巻上＞のサブルーチンについて、図８を用いて説明する。まずＳ２０１にてフィルム給送モータ（フィルム給送機構２３に含まれている）を正転させる。次に、Ｓ２０２にて＜磁気記録＞サブルーチンを実行する。この＜磁気記録＞サブルーチンは、フィルム１５の給送動作中に銀塩フィルム面上の磁気記録部に比率レジスタの内容を最下位ビットから１ビットずつ最上位ビットまで順次記録するものである。尚、この磁気記録に関する具体的な手法は、従来より種々提案されているのでここでは詳細説明を省略する。そして、Ｓ２０３にて一駒分の巻上を待って、Ｓ２０４にてフィルム給送モータを停止させた後にリターンする。
【００２４】
図６に戻って、一駒巻上が終了したら、Ｓ１８にて駒数カウンタに１を足す。そして、Ｓ１９にて巻戻スイッチ４１が押されているか否かをチェックする。巻戻スイッチ４１が押されていなければ、再びＳ６に移行して上述の処理を繰り返す。一方、Ｓ１６にて最終駒であると判断したら、Ｓ２０にて巻戻スイッチ４１をチェックし、巻戻スイッチ４１が押されていなければＳ２１にてモードスイッチ３２をチェックする。そして、巻戻スイッチ４１がおされておらず、また、モードスイッチ３２が撮影モード側に設定されている場合には、上述のＳ２０からＳ２１を繰り返す。一方、モードスイッチ３２が表示モード側に切り換えられていたら、Ｓ２２に進んでＳ８と同様に＜モニタ表示＞サブルーチンを実行する。一方、Ｓ２０にて巻戻スイッチ４１が押されていることを検知したら、Ｓ２３にて＜巻戻＞サブルーチンを実行する。このサブルーチンは、フィルム１５を巻き戻すだけでなく、巻戻動作の途中に上述の比率レジスタの内容を各撮影駒の磁気記録部に磁気記録する機能も含んでいる。尚、Ｓ１９にて巻戻スイッチ４１が押されていると判断した場合にも同様の巻戻動作が実行される。
【００２５】
ここで、＜巻戻＞サブルーチンによる巻戻動作について、図９を用いて説明する。このサブルーチンは、巻戻スイッチ４１が操作された時にフィルム１５をカートリッジ内に巻き戻すために実行される。そして、このサブルーチンは、上述の比率レジスタの内容を各撮影駒に対応する磁気記録部に記録する機能も有している。まず、Ｓ３０１にてフィルム給送機構２３に含まれるフィルム給送モータ（不図示）を逆転させて巻戻を開始させる。次に、Ｓ３０２にて上述の＜磁気記録＞サブルーチンを実行する。磁気記録部には、すでに上述の＜一駒巻上＞サブルーチンにて各撮影駒に対応する比率レジスタの内容が記録されているが、その後で撮影者がプリントするサイズを設定変更していることもあるため、巻戻動作においても磁気記録する必要がある。尚、巻戻時の磁気記録においては、設定変更された撮影駒に関してのみ再記録するようにしても良い。  この記録動作は、銀塩フィルムが一駒分巻き戻されるよりも短時間で終了するので、＜磁気記録＞サブルーチンからリターンしたら、続いてＳ３０３にて一駒分の巻戻が終了するのを待つ。一駒分の巻戻が終了したら、Ｓ３０４にて駒数カウンタから「１」を引きそしてＳ３０５にて駒数カウンタが「０」になったか否かをチェックする。駒数カウンタがまだ「０」になっていなければ、次の駒の枚数データを記録するために再びＳ３０２に戻る。一方、駒数カウンタが「０」になったら、巻戻が完了したと判断して、Ｓ３０６にて所定時間待った後に、Ｓ３０７にてフィルム給送モータを停止してリターンする。
【００２６】
図６に戻って、巻戻動作が完了すれば、Ｓ２４にて裏蓋スイッチ３１が開になるのを待ち、開になったら（つまり、フィルムカートリッジの取り出し操作が行われたら）、Ｓ２５において画像メモリ１２の全画像データを消去し、次にＳ２６にて駒数カウンタに０を入れて内容をクリアする。尚、画像メモリ１２に記憶されている全デジタル画像データを消去する理由は、この画像メモリ１２に記憶されているデジタル画像データは、銀塩フィルム１５に光学的に記録された画像に対応したものであるから、そのフィルムカートリッジが取り出された場合には、その後も画像データを記憶しておく必要はないし、そのまま残しておくと新しいフィルムカートリッジにて撮影動作を行う際に撮影者の混乱を招く危険があるからである。
【００２７】
次に、図１０の＜モニタ表示＞サブルーチンについて説明する。まず、Ｓ４０１にてアドレスレジスタの内容が０であるか否かをチェックする。この時点でアドレスレジスタの内容が０であれば、まだ撮影が行われていない状態であり、表示すべき画像データが画像メモリ１２に記憶されていないので、そのままリターンする。一方、アドレスレジスタの内容が１でない、つまり、少なくとも１枚の画像データが記憶されている場合には、Ｓ４０２からＳ４０５に渡って、アドレスレジスタの内容，画像読出指示信号，アドレスレジスタに対応する比率レジスタの内容，表示指示信号の順に画像処理回路１０に転送する。画像処理回路１０は、アドレスデータに対応する画像メモリ１２のメモリ領域を設定し、画像読出指示信号に応じて設定された記憶領域から画像データを読み出し、画像表示指示信号に応じて読み出した画像データをマスキングしてモニタ１１に表示する。
【００２８】
次に、Ｓ４０６にてＰタイププリントを指示するためのＰスイッチ３８がＯＮしているか否かを判断し、ＯＮしていればＳ４０７にて現在の撮影駒に対応する比率レジスタに「２」を入れて、Ｓ４１２に進む。ＯＮしていなければ、Ｓ４０８にてＣタイププリントを指示するためのＣスイッチ３７がＯＮしているか否かを判断し、ＯＮしていればＳ４０９にて現在の撮影駒に対応する比率レジスタに「１」を入れて、Ｓ４１２に進む。ＯＮしていなければ、Ｓ４１０にてＨタイププリントを指示するためのＨスイッチ３６がＯＮしているか否かを判断し、ＯＮしていればＳ４１１にて現在の撮影駒に対応する比率レジスタに「０」を入れてＳ４１２に進む。Ｈスイッチ３６もＯＮしていない場合には、比率レジスタの内容を変更せずにＳ４１２に進む。次に、Ｓ４１２にてダウン釦４６に連動する表示ダウンスイッチ３４を、Ｓ４１６にてアップ釦４５に連動する表示アップスイッチ３３を、Ｓ４２０にてモード設定部材４４に連動するモード設定スイッチ３１の状態を順次チェックする。この一連のチェックにおいて、表示ダウンスイッチ３４と表示アップスイッチ３３がともにＯＮしておらず、モード設定スイッチ３１が撮影モードに設定されていなければ、ＳＳ４１２以降を繰り返すこととなる。一方、Ｓ４２０にてモード設定スイッチ３１が撮影モード側に戻されたことを判別したら、リターンする。  上述のように、表示アップスイッチ３４と表示ダウンスイッチ３５は、現在表示されている画像以外の画像を表示させるためのスイッチで、ダウンスイッチ３５がＯＮであれば１つ前の画像を、アップスイッチ３４がＯＮであれば１つ後の画像を選択できる。Ｓ４１２で表示ダウンスイッチ３５がＯＮしていると判断されると、次にＳ４１３にてアドレスレジスタの内容が１であるか否かをチェックする。この時点でアドレスレジスタの内容が１でなければ、Ｓ４１４にてアドレスレジスタの内容をマイナス１し、Ｓ４１５にてチャタリングによる誤動作を防止するために所定時間待ってからＳ４０２に戻って、選択された画像の表示を行う。一方、アドレスレジスタの内容が１ならば、すでに最初に撮影された画像データが表示されていることを意味しており、それより前の画像にさかのぼることはできない。したがって、何の処理も行わずにＳ４０６に戻る。また、Ｓ４１６で表示アップスイッチ３４がＯＮしていると判断されると、次にアドレスレジスタの内容と駒数カウンタの内容をＳ４１７にて比較し、アドレスレジスタの内容と駒数カウンタの内容が等しくなければ、Ｓ４１８にてアドレスレジスタの内容をプラス１し、Ｓ４１９にてチャタリングによる誤動作を防止するために所定時間待ってからＳ４０２に戻って、選択された画像の表示を行う。一方、Ｓ４１７にてアドレスレジスタの内容と駒数カウンタの内容が等しければ、現在表示されている画像が最新駒であるから、表示アップスイッチ３４の操作は無視され、Ｓ４０６に戻る。
【００２９】
この様な構成とすることにより、一度設定したトリミングプリント範囲をその後の任意の時点で画像を確認しながら再設定することができる。
【００３０】
【発明の効果】
以上説明したように本発明によれば、カメラ使用者にとって使いやすいカメラを提供することができる。
【図面の簡単な説明】
【図１】本発明の第１の実施の形態の全体構成を示す図。
【図２】上記実施の形態におけるフィルム画面寸法を示す図。
【図３】上記実施の形態における画面枠の表示エレメントを示す図。
【図４】上記実施の形態におけるカメラ後方外観を示す図。
【図５】上記実施の形態におけるモニタ画面の切換え状態を示す図。
【図６】上記実施の形態におけるフロ−チャ−トを示す図。
【図７】上記実施の形態におけるフロ−チャ−トを示す図。
【図８】上記実施の形態におけるフロ−チャ−トを示す図。
【図９】上記実施の形態におけるフロ−チャ−トを示す図。
【図１０】上記実施の形態におけるフロ−チャ−トを示す図。
【符号の説明】
４  ペンタプリズム
５  ファインダ接眼部
９  制御回路
１０  画像処理回路
１１  モニタ
１２  画像メモリ
１５  銀塩フィルム
２６  磁気記録回路
３４  表示アップスイッチ
３５  表示ダウンスイッチ
３６  Ｈスイッチ
３７  Ｃスイッチ
３８  Ｐスイッチ
３９  液晶表示板
４４  モ−ド設定部材
４５  アップ釦
４６  ダウン釦４７  Ｈタイプ選択釦
４８  Ｃタイプ選択釦
４９  Ｐタイプ選択釦
５３  モニタ画面
５７  接眼レンズ
【図１】
0003576450.tif 000002
【図２】
0003576450.tif 000003
【図３】
0003576450.tif 000004
【図４】
0003576450.tif 000005
【図５】
0003576450.tif 000006
【図６】
0003576450.tif 000007
【図７】
0003576450.tif 000008
【図８】
0003576450.tif 000009
【図９】
0003576450.tif 000010
【図１０】
0003576450.tif 000011